(57)【特許請求の範囲】
【請求項１】
時刻を知らせる時計機構と、香りを放出する芳香放出機構とを有し、定刻になると一定時間のあいだ芳香を放出して成るアロマテラピークロックにおいて、
時計機構は、２番車に設けた駆動ピンを弾性作用を介在させた３本の起動スイッチに連係し、該起動スイッチを送風モーターと芳香の放出に関与するキャップの開閉に係るキャップ開閉モーターとの起動に電気的に連係して成り、
芳香放出機構は、前記キャップ開閉モーターにより駆動されるキャップ開閉親歯車と、該キャップ開閉親歯車に一端が揺動自在に連結される連結板の他端に揺動自在に連結され両端に立設されるガイド柱に昇降自在に案内されるキャップ開閉操作板と、該キャップ開閉操作板の一面に回転自在に設けられたキャップ開閉子歯車と、該キャップ開閉子歯車にキャップ開閉操作板の降下行程で噛合する歯車回転ピンと、キャップ開閉子歯車と一体同軸でキャップ開閉操作板の他面に配置される第１のキャップ上げ歯車及び該第１のキャップ上げ歯車の左右に中間歯車を介して連設される第２、第３のキャップ上げ歯車と、各キャップ上げ歯車の外周面に所要の分割位相で形成された円弧突起と、該円弧突起に所要にずれて係合しかつ香料ボトルのキャップに一体のキャップ開閉ピンと、送風モーターと送風翼とを収納したケーシングに連接されたダクトと、該ダクト内において前記キャップ開閉ピンに外嵌するとともにキャップの上蓋と前記ダクト天井壁間に配置されるバネと、該ダクト内でキャップが開閉されダクトの下壁外面に着脱自在に螺合される香料ボトルとから成り、モーターの回転運動を直線運動系に変換し、該直線運動系に配列される歯車を直線運動系の下降行程で回転させることによるダクト内に配列される香料ボトルのキャップの上昇とバネの介在によるキャップの降下でキャップの開閉をなし、所定の香料ボトルから順次に香料が放出されることを特徴とするアロマテラピークロック。
【発明の詳細な説明】
【０００１】
【発明の属する技術分野】
本発明は、定刻になると多様な香りを放出する時計に関する。
【０００２】
【従来の技術】
従来、時計は目で文字盤を見て時刻を確認することを前提にして作られている。
また、直接時計を見なくても時刻を知ることが出来るように、音による時刻報知を行う補助装置を備えるものも開発されている。
しかし、それらは健康な人を対象に製造されたものであり、老人・身障者を対象にした時計はこれまでなかった。
特に、年齢にしたがって目が悪くなったり、耳が遠くなったりした老人や視覚障害、聴覚障害の身障者は、時計の時刻を知る適当な手段がなかった。
【０００３】
【発明が解決しようとする課題】
そのため、老人や身障者にも時計の時刻が判るように、香りによって時報を知らせることができるようにした香り時報付き時計（以下、「アロマテラピークロック」という。）を提供するものである。
【０００４】
【課題を解決するための手段】
上記のような課題を解決するために、本発明のアロマテラピークロックは、時刻を知らせる時計機構と、香りを放出する芳香放出機構とを有し、定刻になると一定時間のあいだ芳香を放出して成るアロマテラピークロックにおいて、
時計機構の２番車に設けた駆動ピンを弾性作用を介在させた３本の起動スイッチに連係し、該起動スイッチを送風モーターと芳香の放出に関与するキャップの開閉に係るキャップ開閉モーターとの起動に電気的に連係して成り、
芳香放出機構が、前記キャップ開閉モーターにより駆動されるキャップ開閉親歯車と、該キャップ開閉親歯車に一端が揺動自在に連結される連結板の他端に揺動自在に連結され両端に立設されるガイド柱に昇降自在に案内されるキャップ開閉操作板と、該キャップ開閉操作板の一面に回転自在に設けられたキャップ開閉子歯車と該キャップ開閉子歯車にキャップ開閉操作板の降下行程で噛合する２４歯車回転ピンと、キャップ開閉子歯車と一体同軸でキャップ開閉操作板の他面の中心とその左右に中間歯車を介して連設されるキャップ上げ歯車と、各キャップ上げ歯車の外周面に所要の分割位相で形成された円弧突起と、該円弧突起に所要にずれて係合しかつ香料ボトルのキャップに一体のキャップ開閉ピンと、送風モーターと送風翼とを収納したケーシングに連接されたダクトと、該ダクト内において、前記キャップ開閉ピンに外嵌するとともにキャップの上蓋と前記ダクトの天井壁間に配置されるバネと、該ダクト内でキャップが開閉されダクトの下壁外面に着脱自在に螺合される香料ボトルとから成る。
【０００５】
【発明の実施の形態】
時計が定刻になると、起動スイッチ４の第２端子７が第１端子５から第３端子１０に接続が切替わり、送風モーター８及びキャップ開閉モーター９が駆動されて該キャップ開閉モーター９の回転が伝え歯車１５に伝達され、該伝え歯車１５と噛み合っているキャップ開閉親歯車１６が回転する。
すると、前記キャップ開閉親歯車１６に揺動自在に連結されている連結板１８が該キャップ開閉親歯車１６の回転に連れて上方に持ち上げられ、該連結板１８の他端がキャップ開閉操作板２１に揺動自在に連結されているため、該キャップ開閉操作板２１は案内溝５５がガイド柱２８に植設された案内ピン５４に案内されて持ち上げられる。
この時、前記キャップ開閉親歯車１６の円周縁に設けられている反転スイッチ切替ピン１７が回転途中でチャイムスイッチ４２をオンして数十秒間メロディーを流すと共に、半回転が終了すると反転スイッチ切替ピン１７が反転スイッチ１３の第３端子２０と第２端子１４の接続から第２端子１４と第１端子１９との接続に切替え前記キャップ開閉モーター９を停止する。
そして、前記キャップ開閉操作板２１の上昇に伴って該キャップ開閉操作板２１に取り付けられている前記キャップ上げ歯車２５も一緒に持ち上げられ、該キャップ上げ歯車２５の円弧突起２４に係合している前記キャップ開閉ピン３０がバネ３６に反して持ち上げられて前記香料ボトル３１の芳香芯３２を密封している前記キャップ３３を上昇させ、このとき、前記送風モーター８の駆動により送風翼が回転しているのでその送風に乗って芳香が前記ダクト３４の開口部から５分間放出されることになる。
そして、５分間が経過すると、前記クロックムーブメント２の起動スイッチ４の第２端子７が第３端子１０から第１端子５に接続が切替わり、前記送風モーター８が停止すると共に、反転スイッチ１３の切替わりにより逆回転回路が形成されているため前記キャップ開閉モーター９が逆回転して前記キャップ開閉親歯車１６の円周縁に設けられている反転スイッチ切替ピン１７が回転途中で前記チャイムスイッチをオンして数十秒間メロディーを流すと共に、半回転が終了すると前記反転スイッチ切替ピン１７が反転スイッチ１３の第１端子１９と第２端子１４との接続から第２端子１４と第３端子２０との接続に切替え前記キャップ開閉モーター９を停止させる。
この時、前記キャップ開閉親歯車１６の逆転により該キャップ開閉親歯車１６に連結されている連結板１８の下降によって前記キャップ開閉操作板２１の案内溝５５が前記ガイド柱２８の案内ピン５４に案内されながら該キャップ開閉操作板２１が下降するが、その途中で該キャップ開閉操作板２１に設けられた前記キャップ開閉子歯車２２の歯に２４歯車回転ピン２７が噛み合って該キャップ開閉子歯車２２が一定回転し、それに連れて該キャップ開閉子歯車２２の回転軸２３に固定されている前記キャップ上げ歯車２５が回転してその回転が中間歯車２６を介して左右のキャップ上げ歯車２５に伝達されて、それぞれに前記キャップ開閉ピン３０に係合する前記円弧突起２４の位置が回転によって一定移動すると共に、前記キャップ３３がバネ３６の作用により前記芳香芯３２を密封し、芳香の放出が終了する。
【０００６】
【実施例】
以下、本発明に実施例を添付図面に基づいて説明する。
本発明のアロマテラピークロックは、時刻を知らせる時計機構と、香りを放出する芳香放出機構とからなるもので、さらに、芳香放出機構はキャップ開閉機構及び送風機構とを有する。
【０００７】
前記時計機構において、時計の分針２番車１にはクロックムーブメント２の回転が歯車により伝達されるようになっており、クロックムーブメント２は乾電池３により駆動される時計機構を持ったもので、前記２番車１の近傍には切替動作をする起動スイッチ４を設けている。
起動スイッチは３本の端子からなり、第１端子５が主電源６のプラスに、第２端子７が送風モーター８及びキャップ開閉モーター９に、第３端子１０が手動送風スイッチ１１にそれぞれ電気配線されており、定刻なると、前記２番車１に設けた駆動ピン１２により押し下げられ前記起動スイッチ４の第１端子５に接触していた第２端子７が第３端子１０に接触し、第２端子７と第３端子１０との接触状態が５分間継続するようになっている。そして、５分経過すると駆動ピン１２が第２端子７との係合から外れて弾性作用により第２端子７が元に戻り再び第１端子５と第２端子７とが接触するように切替動作されるようになっている。
【０００８】
一方、前記芳香放出機構のキャップ開閉機構において、前記キャップ開閉モーター９は、一端が前記反転スイッチ１３の第２端子１４に、他端を起動スイッチ４の第２端子７に電気配線されており、キャップ開閉モーター９の駆動により回転される伝え歯車１５により伝え歯車１５に噛み合っているキャップ開閉親歯車１６を回転する。
そして、キャップ開閉親歯車１６は、その円周縁に回転軸を対称とする２つの反転スイッチ切替ピン１７が設けてあり、後述する連結板１８が最下端に来た時に一方の反転スイッチ切替ピン１７が反転スイッチ１３の第１端子１９に接触して反転スイッチ１３を切替え（反転スイッチ１３の第３端子２０と第２端子１４とが接触し）、連結板１８が最上端に来た時に他方の反転スイッチ切替ピン１７が反転スイッチ１３の第３端子２０に接触して反転スイッチ１３を切替える（反転スイッチ１３の第２端子１４と第１端子１９とが接触する）ように取付配置されており、一方、反転スイッチ１３は３つの端子からなり、第１端子１９が前記手動送風スイッチ１１に、第２端子１４が前記キャップ開閉モーター９に、第３端子２０が主電源６のプラスにそれぞれ電気配線されている。
【０００９】
さらに、前記キャップ開閉機構のキャップ操作機構において、前記キャップ開閉親歯車１６の円周縁には揺動自在に連結板１８が接続されており、連結板１８はキャップ開閉親歯車１６の回転に伴って移動すると共に、連結板１８の他端にはキャップ開閉操作板２１が揺動自在に接続されている。
そして、キャップ開閉操作板２１には、２４時間で１回転するキャップ開閉子歯車２２が裏面に設けられており、キャップ開閉子歯車２２の回転軸２３がキャップ開閉操作板２１を貫通して表面に突き出し、突き出した表面側の回転軸２３に円周の３分の１にわたって円弧突起２４が形成されたキャップ上げ歯車２５が固定されており、さらにキャップ上げ歯車２５の左右には中間歯車２６を介して同様の円弧突起２４が形成されたキャップ上げ歯車２５が連結されている。
【００１０】
また、前記キャップ開閉子歯車２２の歯と噛み合う２４歯車回転ピン２７がガイド柱２８に固定されており、前記キャップ開閉操作板２１が上昇する時には噛み合わないが、下降する時に噛み合って前記キャップ開閉子歯車２２を一方向にのみ一定回転させる（１時間に相当する分）と共に、一定回転したキャップ開閉子歯車２２の逆転を防止するために２４歯車逆転ストッパー２９を前記キャップ開閉操作板２１に固定している。
また、前記キャップ上げ歯車２５の円弧突起２４は、それぞれの円弧突起２４がかち合わないように３６０°を３等分して１２０°ずつ分割して配置してあり、前記キャップ開閉子歯車２１が最下端位置にある時に、同時に２以上のキャップ上げ歯車２５の円弧突起２４がキャップ開閉ピン３０の突起に係合しないようにずらしており、これによって３種類の芳香がそれぞれ放出できるようになっている。
【００１１】
そして、前記キャップ開閉ピン３０は、後述の香料ボトル３１の芳香芯３２を解放及び密封するキャップ３３の上蓋と送風機構のダクト３４の天井壁間に配置されたバネ３６の作用により前記キャップ３３が前記ダクト３４の下壁に押しつけられて芳香芯３２を密封した時に、ダクト３４の天井壁を貫通したキャップ開閉ピン３０の先端が前記キャップ上げ歯車２５の円弧突起２４に係合する長さであり、キャップ開閉ピン３０の先端には円弧突起２４に係合するように前記キャップ上げ歯車２５方向に向けて突起が設けられている。
【００１２】
また、前記芳香放出機構の送風機構において、送風モーター８は、一方が主電源６に、他方が起動スイッチ４の第２端子７に電気配線されており、送風モーター８の回転軸には送風翼３５が接線方向に固定されて、送風ケーシングの吸入口から吸い込んだ空気を放射方向に放出する遠心式送風ファンを形成し、さらに放出方向には角筒状のダクト３４が接続されている。
【００１３】
そして、前記キャップ開閉操作板２１の下方には前記ダクト３４が配置され、ダクト３４内には、下端にゴムパッキンを有するキャップ３３と、キャップ３３の上蓋中央に固定され前記ダクト３４の天井壁を貫通して上方に延びたキャップ開閉ピン３０と、キャップ３３の上蓋とダクト３４の天井壁間に配置されたバネ３６と、が設けられている。
【００１４】
さらに、ダクト３４の下壁には、芳香芯３２が貫通する貫通孔と香料ボトル３１の口部の突起ネジが嵌合するネジ溝が形成されたねじ込み式キャップ３７とが一体に形成されており、内部には芳香剤が充填された香料ボトル３１の口部が前記ねじ込み式キャップ３７に螺合することができるようになっている。
なお、本発明の実施例ではキャップ３３を３個設けたが、この数は香料ボトル３１の数により適宜設計変更できるものである。
【００１５】
また、前記香料ボトル３１の芳香芯３２は、芳香剤に浸漬される部分に吸水性の高い棒状材料で形成し、ダクト３４内において送風に曝される部分は和紙で形成された複数の波形円盤３８を平行に並べて形成する。
さらに、前記香料ボトル３１には、気分をリラックスさせる香りとしてラベンダー、マージョラム、ゼラニウムや、気分をリフレッシュさせる香りとしてミント、ローズマリー、レモングラス、カルダモン等のエッセンシャルオイル（精油）を選択して採用することができ、本発明の実施例では３種類を選択して８時間サイクルで違う香りを発生させることができるようになっている。
このようなエッセンシャルオイル（精油）を使用することにより時刻の報知以外にアロマテラピー効果が期待でき、このアロマ（芳香）テラピー（治療）は、香りの、脳を直接刺激する働きを利用したもので、脳に伝えられた香りの刺激は、脳内の様々な働きを司る部位に伝達され、各種のホルモン分泌を促して、人間の自己治癒力を高めることもできるものである。
また、本発明の実施例として、液状の芳香剤（香水も含む）についてのみ説明したが、固形の芳香剤についても同様に前記ダクト３４に配置することにより実施できるものであり、さらに芳香放出手段としてスプレー式、噴霧式なども選択することができる。
【００１６】
一方、従電源３９により起動されるチャイム回路４０は、第１端子４１がチャイムスイッチ４２の一方に接続され、第２端子４３が光センサー４４を介してチャイムスイッチ４２の他方に接続されているので、部屋が明るい時にはチャイム回路４０が働くが、暗くなるとチャイム回路４０が働かず夜にはメロディーが流れないようになっている。
そして、チャイム回路４０の第３端子４５と第４端子４６は手動チャイムスイッチ４７に接続されており、手動チャイムスイッチ４７を押すことにより任意に曲を変えることができるようになっているし、第５端子４８と第６端子４９はチャイムボリュウム５０に接続されており、チャイムボリュウム５０を回転することにより音量を調節することができるし、第７端子５１と第８端子５２はスピーカー５３にそれぞれ接続されている。
【００１７】
また、手動送風スイッチ１１は、一方が主電源６のマイナスに、他方が起動スイッチ４の第３端子１０及び反転スイッチ１３の第１端子１９に電気配線されており、手動送風スイッチ１１をオフにすることにより前記送風モーター８及び前記キャップ開閉モーター９の動作を停止させることができる。
【００１８】
次に、上記構成のアロマテラピークロックの動作につき説明する。
まず、図１に基づいて、前記キャップ開閉モーター９の正転、逆転について述べると、正転時には、主電源６→配線（イ）→反転スイッチ１３の第３端子２０→反転スイッチ１３の第２端子１４→配線（ロ）←キャップ開閉モーター９→配線（ハ）（ニ）→起動スイッチ４の第２端子７→起動スイッチ４の第３端子１０→配線（ホ）→手動送風スイッチ１１→配線（ヘ）→主電源６の回路が形成されると共に、逆転時には、主電源６→配線（ト）→起動スイッチ４の第１端子５→起動スイッチ４の第２端子７→配線（ニ）（ハ）→キャップ開閉モーター９→配線（ロ）→反転スイッチ１３の第２端子１４→反転スイッチ１３の第１端子１９→配線（チ）→手動送風スイッチ１１→配線（ヘ）→主電源６の回路が形成されるものである。
【００１９】
まず、時計が定刻になると、前記クロックムーブメント２の起動スイッチ４が入り（起動スイッチ４の第２端子７が第１端子５から第３端子１０に接続が切り替わり）、送風モーター８及びキャップ開閉モーター９が駆動されてキャップ開閉モーター９の回転が伝え歯車１５に伝達され、伝え歯車１５と噛み合っているキャップ開閉親歯車１６が回転する。
すると、前記キャップ開閉親歯車１６に揺動自在に連結されている連結板１８がキャップ開閉親歯車１６の回転に連れて上方に持ち上げられ，連結板１８の他端がキャップが開閉操作板２１に揺動自在に連結されているため、キャップ開閉操作板２１の案内溝５５がガイド柱２８に植設された案内ピン５４に案内されながらキャップ開閉操作板２１が持ち上げられる。
この時、前記キャップ開閉親歯車１６の円周縁に設けられている反転スイッチ切替ピン１７が回転途中でチャイムスイッチ４２をオンして数十秒間メロディーを流すと共に、半回転が終了すると反転スイッチ切替ピン１７が反転スイッチ１３を切り替えて（反転スイッチ１３の第３端子２０と第２端子１４の接続から第２端子１４と第１端子１９との接続に切り替わり）前記キャップ開閉モーター９を停止する。
【００２０】
そして、前記キャップ開閉操作板２１の上昇に伴ってキャップ開閉操作板２１に取り付けられている前記キャップ上げ歯車２５も一緒に持ち上げられ、キャップ上げ歯車２５の円弧突起２４に係合している前記キャップ開閉ピン３０がバネ３６に反して持ち上げられて前記香料ボトル３１の芳香芯３２を密封している前記キャップ３３を上昇させ、このとき前記送風モーター８は主電源６→配線（リ）→送風モーター８→配線（ニ）→起動スイッチ４の第２端子７→起動スイッチ４の第３端子１０→配線（ホ）→手動送風スイッチ１１→配線（ヘ）→主電源６の回路によって、前記送風モーター８の駆動により送風翼３５が回転しているのでその送風に乗って芳香が前記ダクト３４の開口部から５分間放出されることになる。
そして、５分間が経過すると、前記クロックムーブメント２の起動スイッチ４が切り替わり(起動スイッチ４の第２端子７が第３端子１０から第１端子５に接続が切り替わり)、前記送風モーター８が停止すると共に、すでに反転スイッチ１３の切り替わりにより逆回転回路が形成されているため前記キャップ開閉モーター９が逆回転して前記キャップ開閉親歯車１６の円周縁に設けられている反転スイッチ切替ピン１７が回転途中で前記チャイムスイッチ４２をオンにして数十秒間メロディーを流すと共に、半回転が終了すると前記反転スイッチ切替ピン１７が反転スイッチ１３を切り替えて（反転スイッチ１３の第１端子１９と第２端子１４との接続から第２端子１４と第３端子２０との接続に切り替わり）前記キャップ開閉モーター９を停止させる。
【００２１】
この時、前記キャップ開閉親歯車１６の逆転によりキャップ開閉親歯車１６に連結されている連結板１８の下降によって前記キャップ開閉操作板２１の案内溝５５がガイド柱２８の案内ピン５４に案内されてキャップ開閉操作板２１は下降するが、その途中でキャップ開閉操作板２１に設けられた前記キャップ開閉子歯車２２の歯に２４歯車回転ピン２７が噛み合ってキャップ開閉子歯車２２が一定回転し(１時間に相当する分)、それに連れてキャップ開閉子歯車２２の回転軸２３に固定されている前記キャップ上げ歯車２５が回転してその回転が中間歯車２６を介して左右のキャップ上げ歯車２５に伝達されて、それぞれに前記キャップ開閉ピン３０に係合する前記円弧突起２４の位置が回転によって一定移動すると共に、前記キャップ３３がバネ３６の作用により前記芳香芯３２を密封する。
なお、本発明の実施例では芳香の放出時間を５分間としたが、部屋の大きさ等により時間調節することができるものである。
このようにして、芳香の放出が終了し、次の定刻にクロックムーブメント２の起動スイッチ４が作動するまでこの状態を継続する。
【００２２】
アロマテラピークロックの上記のような芳香放出制御をマイクロコンピュータ（ＩＣ回路）を利用して行うこともできる。
例えば、制御プログラムが開始され、クロックムーブメント２の起動スイッチ４からの信号が入力されると（ステップ１）、キャップ開閉モーター９の正転及び送風モーター８への送電が出力される（ステップ２）。キャップ開閉モーター９が所定回転すると、キャップ開閉親歯車１６のストップセンサーが作動し（ステップ３）、キャップ開閉モーター９への送電がストップし（ステップ４）、キャップ開閉親歯車１６が停止する。この間送風モーター８は回転し続けるが、５分間経過すると（ステップ５）、送風モーター８への送電が停止し（ステップ６）、同時にキャップ開閉モーター９逆転への送電が出力され（ステップ７）、キャップ開閉モーター９が所定回転すると、キャップ開閉親歯車１６のストップセンサーが作動し（ステップ８）、キャップ開閉モーター９への送電がストップし（ステップ９）、キャップ開閉親歯車１６が停止して、制御プログラムが終了する。
【００２３】
【発明の効果】
以上の如く、本発明のアロマテラピークロックは、年齢にしたがって目が悪くなったり、耳が遠くなったりした老人や視覚障害、聴覚障害の身障者にも時計の時刻が判るように、香りによって時報を知らせることができると共に、芳香剤としてエッセンシャルオイル（精油）を選択することによりアロマテラピー（芳香治療）効果による健康管理ができるものである。
また、１日に、自動的に数回香りが変わるため、飽きや慢性化防止が考慮されていると共に、香料ボトルがダクト外面でのねじ込み式であるため、好きな香りを簡便に取り換え選択できる利点もある。
さらに、場合によっては、芳香剤に代えて森林浴のフィトンチッドや消臭剤を使用することにより、不快感の取り除きにも効果がある。
【図面の簡単な説明】
【図１】本発明のアロマテラピークロックの配線図。
【図２】本発明のアロマテラピークロックの芳香放出機構の説明図。
【図３】本発明のアロマテラピークロックの香料ボトル取付部の断面図。
【符号の説明】
１  ２番車
２  クロックムーブメント
３  乾電池
４  起動スイッチ
５  第１端子
６  主電源
７  第２端子
８  送風モーター
９  キャップ開閉モーター
１０  第３端子
１１  手動送風スイッチ
１２  駆動ピン
１３  反転スイッチ
１４  第２端子
１６  キャップ開閉親歯車
１９  第１端子
２０  第３端子
３９  従電源
４０  チャイム回路
４２  チャイムスイッチ
４４  光センサー
４７  手動チャイムスイッチ
５０  チャイムボリュウム
５３  スピーカー
【図１】
0003989616.tif 000002
【図２】
0003989616.tif 000003
【図３】
0003989616.tif 000004